(57)【特許請求の範囲】
【請求項１】
前面に開口部を有し内部に調理室が形成された箱状の本体と、前記開口部を開閉する前扉とを有し、前記調理室の内部に被調理物が載置される棚と前記被調理物を加熱するヒーターとが配設されたオーブントースターにおいて、前記オーブントースターは、前記調理室の前面の下端に支軸を介して取り付けられ、所定の形状に湾曲した第１リンク部材と、一端が前記調理室の下端に回動自在に取り付けられ他端に所定長さの摺動溝を有する第２リンク部材とを有し、前記前扉は、前記第１リンク部材に取り付けられることにより回動自在に固定されており、前記棚は、前記第２リンク部材の前記摺動溝内に摺動可能に取り付けられることにより引き出し自在に固定されており、
前記第１リンク部材と第２リンク部材とが連結部材により連結されて、前記前扉の開閉に連動して前記棚の引き出しあるいは収納が行われるようにし、
前記第１リンク部材は、前記調理室の前面の下端から前記開口部の下端までの長さと同一又は若干長い第１アーム片と、前記第１アーム片の他端部に連結され、円弧状に湾曲した第２アーム片とからなり、前記第１アーム片の一端部は前記調理室の前面の下端に回動自在に固定され、前記第１アーム片と第２アーム片との連結部には前記連結部材の一端部が回動自在に固定され、前記第２アーム片の一端部は前記前扉が固定されていることを特徴とするオーブントースター。
【請求項２】
前記第２リンク部材は、一端が前記調理室の下端の奥行き方向における中心部付近に回動自在に固定されており、他端に設けられた前記摺動溝は前記棚の後端部付近に設けられた支持突起に取り付けられていることを特徴とする請求項１に記載のオーブントースター。
【請求項３】
前記連結部材は、稼動時にも前記棚の下部に位置するヒーターに接触しない形状に成形されていることを特徴とする請求項１に記載のオーブントースター。
【請求項４】
前記前扉は、下方の両隅部が前記第１リンク部材にそれぞれ固定されており、開放時において、前記前扉の下端部と前記第１リンク部材と前記本体の前面とに囲まれた部分を覆うように円弧状に湾曲した板状のカバーが取り付けられていることを特徴とする請求項１に記載のオーブントースター。
【発明の詳細な説明】
【技術分野】
【０００１】
本発明はオーブントースターに関し、特にオーブントースターの棚の引き出し機構において、前扉の開閉時に前扉に連動して調理室から引き出され又は収納される棚の面積を大きくしたオーブントースターに関する。
【背景技術】
【０００２】
調理器としてのオーブントースター７１は、例えば図６に示したように、箱状のオーブントースター本体７２とこの本体７２の前面開口部７３に取り付けられている前扉７４とからなっている。前扉７４にはガラスを嵌めた窓７４ａが形成されている。前扉７４はオーブントースター本体７２の開口部７３の下部に支軸７４ｂによって回動自在に軸支され、開口部７３を開閉できる。また、本体７２の前面には開口部７３に隣接して内部に制御基板が配設された制御壁７５があり、制御壁７５には電源のオン・オフ、食品の加熱時間、温度調理方法等を調節するための制御ツマミ７６が設けられている。
【０００３】
本体７２内は調理室７７として、中間部に設けた被調理物を載せるための棚７８を挟んで上下にヒーター７９が設けられている。ヒーター７９は通常、石英管または結晶化ガラスの直管の中にコイル状の電熱線を配設し、両端にコネクタが取り付けられたシースヒーターが使用され、棚７８の上と下にあって調理室７７の奥行き幅の中央付近に配置されている。調理室７７は被調理物にムラなく熱が回るように、熱反射特性に優れたアルミニウムめっき鋼板などからなる熱反射板により内部筐体８０を構成している。内部筐体８０は、調理室７７の上部から奥部に掛けては、ヒーター７９の熱を有効に利用できるよう斜めに区画された反射壁として取り付けられている。
【０００４】
棚７８は、被調理物を載せるために、通常は網状となっており、必要に応じて、その上に皿状のトレイや他の容器が載置される。従来、この種のオーブントースターにおいては、下記特許文献１に開示されたオーブントースターのように、棚７８の前端は前扉７４の背面に設けられた係止手段８４に係止されており、前扉７４が開けられる際、前扉７４の回動につれて開口部７３から引き出されるようになっている。棚７８は装着架台８２に載せられ、装着架台８２の両側に取り付けた滑動部材の保持爪８３は調理室７７の両側の壁に設けたスライド孔に係合しており、棚７８が調理室内での高さを保ちながら移動できるようにしてある。同時に、装着架台８２は前扉７４を閉めたときに後退するように、後方からバネ８５で後方に付勢されている。このような構造により、棚は、前扉７４の開閉に連動して前後に移動して、被調理物を調理室７７の中に入れたり、出したりすることができる。
【０００５】
また、他の従来例として下記特許文献２に開示されたオーブントースターは、図７に示すように、前扉１００をオーブントースター本体９１の前面側に突出させないで、調理室開口部９８の開口縁に沿わせて、本体上部の扉収納部１０６に収納させるものが知られている。
【０００６】
これは、略中間部を回動自在に軸支した回転の中心とし、一端は本体９１の開口部９８を開閉する前扉１００に連結し、他端は突起９９を設けた作動杵９７と、回転の中心と突起９９との間に位置し調理室９２内の側壁に設けたガイドレール１０２に前後方向に摺動自在に配置されて、一端に係合部１０４を有する調理棚１０３と、下端が回動自在に取り付けられ突起９９と係合部１０４とにそれぞれ係合する二つのガイドを有する調理棚作動体１０５を設けて、前扉１００の開閉に連動して棚１０３を開口部９８から突出させるようにしている。
【特許文献１】特開平５−２１１９４８号公報（図１、段落〔０００４〕）
【特許文献２】特開平５−３０９０４４号公報（図３、段落〔００１２〕〜〔００１５〕）
【発明の開示】
【発明が解決しようとする課題】
【０００７】
しかしながら、上記特許文献１においては、前扉と棚を直接連結しているために、棚の移動量を大きくとることができず、調理室から棚を十分に引き出すことができなかった。そのため被調理物の取り出しは、十分に引き出されていない棚から行なうために、加熱されている前扉や調理室の壁に手が触れて火傷を負う危険性があり、調理者は扉の開閉時に、加熱された前扉などに触れないよう細心の注意を払う必要があった。
【０００８】
また、上記特許文献２においては、棚１０３の引き出し量は改善され増加するものの、その機構がモーター９４やギア９５、９６を使用し複雑化して製造費が高く、また、前扉を本体上部の扉収納部に収納するため、本体９１の背高が高くなり、小型化できないという問題があった。
【０００９】
本願の発明者は、前記の問題点を解消すべく種々検討を行った結果、前扉と棚の連結構造に着目して、前扉の支点を開口部の下縁から回動可能なリンク部材を用いることでより下部に移すことで前扉の回転半径を大きくし、一方棚の移動は回動可能な他のリンク部材に連結され、これらの両リンク部材を連結部材を介して連結することによりモーターやギアを用いることなく棚の移動ストロークを大きくでき、これによって上述の問題点を解決できることを見出し、本発明を完成するに至ったものである。
【００１０】
すなわち、本発明の目的は、前扉を開けたときに前扉に連動して調理室から引き出される棚の面積が大きいオーブントースターを提供することである。
【００１１】
また、本発明の他の目的は、棚の引き出し機構を簡素化し、構成部品が少なくてすみ、安価に製造できるオーブントースターを提供することである。
【課題を解決するための手段】
【００１２】
本願発明は、前面に開口部を有し内部に調理室が形成された箱状の本体と、前記開口部を開閉する前扉とを有し、前記調理室の内部に被調理物が載置される棚と前記被調理物を加熱するヒーターとが配設されたオーブントースターにおいて、前記オーブントースターは、前記調理室の前面の下端に支軸を介して取り付けられ、所定の形状に湾曲した第１リンク部材と、一端が前記調理室の下端に回動自在に取り付けられ他端に所定長さの摺動溝を有する第２リンク部材とを有し、前記前扉は、前記第１リンク部材に取り付けられることにより回動自在に固定されており、前記棚は、前記第２リンク部材の前記摺動溝内に摺動可能に取り付けられることにより引き出し自在に固定されており、前記第１リンク部材と第２リンク部材とが連結部材により連結されて、前記前扉の開閉に連動して前記棚の引き出しあるいは収納が行われるようにし、前記第１リンク部材は、前記調理室の前面の下端から前記開口部の下端までの長さと同一又は若干長い第１アーム片と、前記第１アーム片の他端部に連結され、円弧状に湾曲した第２アーム片とからなり、前記第１アーム片の一端部は前記調理室の前面の下端に回動自在に固定され、前記第１アーム片と第２アーム片との連結部には前記連結部材の一端部が回動自在に固定され、前記第２アーム片の一端部は前記前扉が固定されていることを特徴とする。
【００１４】
また、本願の請求項２に係る発明は、請求項１に記載のオーブントースターにおいて、前記第２リンク部材は、一端が前記調理室の下端の奥行き方向における中心部付近に回動自在に固定されており、他端に設けられた前記摺動溝は前記棚の後端部付近に設けられた支持突起に取り付けられていることを特徴とする。
【００１５】
また、本願の請求項３に係る発明は、請求項１に記載のオーブントースターにおいて、前記連結部材は、稼動時にも前記棚の下部に位置するヒーターに接触しない形状に成形されていることを特徴とする。
【００１６】
また、本願の請求項４に係る発明は、請求項１に記載のオーブントースターにおいて、前記前扉は、下方の両隅部が前記第１リンク部材にそれぞれ固定されており、開放時において、前記前扉の下端部と前記第１リンク部材と前記本体の前面とに囲まれた部分を覆うように円弧状に湾曲した板状のカバーが取り付けられていることを特徴とする。
【発明の効果】
【００１７】
本発明は上記構成を備えることにより、以下に示すような優れた効果を奏する。すなわち、本発明によれば、前扉の開閉の際の回転半径を大きくし、さらに調理室内に配設された棚の移動は、前扉と棚を直接連結することなく、前扉に第１リンク部材と第２リンク部材とが連結部材によって所定距離離れた位置で連結しているため、前扉に連動する棚の移動距離が大きくなり、棚が調理室から大きく引き出されるので、被調理物の出し入れが容易で、火傷などのおそれが小さい安全なオーブントースターを提供することができる。また、棚の引き出しに用いる部材が２つのリンク部材及び連結部材のみで構成されているため、構造が簡単で安価に製造することができる。
【００１８】
また、本発明によれば、第１リンク部材が、開口部の下端より更に下部に位置する調理室の下部を支点として前扉の回動をおこなうことから、前扉が開放時に開口部から離れた位置にあるため、棚の引き出しの邪魔になることがなく、棚を下部に設けられたヒーターに近い位置に取り付けることが可能となるため、オーブントースター本体を大きくする必要がない。また、第１リンク部材の連結部材に連結される位置の移動距離が大きく、これにより連結部材によって両リンク部材を直接連結するだけで棚の引き出し距離も十分長くすることができる。
【００１９】
また、本願の請求項２に係る発明によれば、第２リンク部材の支点をオーブントースターの奥行き方向における中心部近傍とし、棚の後端部に他端を連結すると、棚をほぼ全て開口部から引き出すことができるようになる。
【００２０】
また、本願の請求項３に係る発明によれば、リンク部材が前扉の開閉による移動の際に下部ヒーターに接触しない形状に成形されているので、連結部材がヒーターにぶつかることなく作動される。
【００２１】
また、本願の請求項４に係る発明によれば、前扉の開放時による本体開口部と前扉との隙間をカバーするために、前扉下部と第１リンク部材に固定された板材からなるカバーを設けたので、前扉を開けたときの振動などにより被調理物のくずがこの隙間に落ちて周囲を汚すことがない。また、カバーを本体開口部と前扉との隙間に設けることで、前扉が閉鎖された状態において、このカバーが本体前面の下部に設けられた制御部を覆うように位置するので、調理室内の熱がこの制御部に到達しにくくなり、調理室内の熱から制御部を保護することができる。
【発明を実施するための最良の形態】
【００２２】
以下、本発明に係るオーブントースターについて、具体的実施例を添付の図面を参照して詳細に説明する。ただし、以下に示す実施例は本発明の技術思想を具体化するためのオーブントースターを例示するものであって、本発明をこのオーブントースターに特定することを意図するものではなく、特許請求の範囲に含まれるその他のものにも等しく適用し得るものである。
【実施例】
【００２３】
図１は本発明のオーブントースターの１実施例に係る棚の引き出し機構を示し、図１（ａ）は前扉を閉鎖状態とした側断面図、図１（ｂ）前扉を半開放状態とした側断面図、図２は本発明のオーブントースターの１実施例に係る棚の引き出し機構を示し、図２（ａ）は前扉を開放状態とした側断面図、図２（ｂ）は参考説明図、図３はオーブントースターの１実施例に係る斜視図、図４は本発明に係るオーブントースターの他の１実施例に係る斜視図、図５は図４のオーブントースターにおける主要部の動作を説明する側断面図である。なお、図３〜図５の各図の共通する部分は同記号を以って表すこととする。また、図３及び図４では、網１８及びヒーター１９が省略されている。
【００２４】
オーブントースター１１は、図１（ａ）及び図３に示すように、前面に開口部１３を有する箱状のオーブントースター本体１２と、本体１２の前面開口部１３に取り付けられて、開口部１３を開閉する前扉１４とを有し、前扉１４にはガラスを嵌めた窓１４ａが形成されている。また、本体１２の前面には開口部１３に隣接して制御部１６を収納した前面壁１５があり、前面壁１５には制御部１６で電源のオン・オフ、食品の加熱時間、温度調理方法等を調節するための制御ツマミ１６ａが設けられている。本体１２の調理室１７は、被調理物にムラなく熱が回るように、熱反射特性に優れたアルミニウムめっき鋼板などにより内部筐体２０を構成している。
【００２５】
調理室１７の内部には、棚１８とその棚１８の上下に配設されているヒーター１９を有する。ヒーター１９は、石英管または結晶化ガラスを成形した管の中にコイル状の電熱線を配設し、両端にコネクタが取り付けられたものである。また、棚１８の後端近くには、後述する第２リンク部材２２に係合する係止部１８ａが両側に突出している。
【００２６】
調理室１７の両側壁内部、すなわち本体１２の側壁と内部筐体２０の側壁との内部の前面部には、略Ｕ字状をなす第１リンク部材２１が取り付けられている。この第１リンク部材２１は、調理室１７の前面の下端（２１ａ）から開口部１３の下端１３ａまでの長さとほぼ等しい第１アーム片２１１と、第１アーム片２１１に一端で連結され円弧状に湾曲した第２アーム片２１２とからなり、第１アーム片２１１の一端２１ａは本体１２の側壁と内部筐体２０の側壁との内部の前面側下端に回動自在に固定され、第１アーム片２１１と第２アーム片２１２とが連結した屈曲点２１ｃには後述する連結部材２３の一端が回動自在に固定され、第２アーム片２１２の一端２１ｂには前扉１４が固定されている。なお、第２アーム片２１２は四半円形状に屈曲されており、第１アーム片２１１が水平状態で本体１２の底面に当接した際に前扉１４が開口部１３に隙間なく接するようになっている。
【００２７】
また、同じく調理室１７の両側壁内部、すなわち本体１２の側壁と内部筐体２０の側壁との内部の奥行き方向における中心部には、板状の第２リンク部材２２の一端２２ａが支点として回動可能に取り付けられている。この第２リンク部材２２は、真っ直ぐな板体からなり、その一端２２ａに対向する他端部に所定長さの摺動溝２２ｂを有し、この摺動溝２２ｂに棚１８の係止突起１８ａを係合している。棚１８に設けられた係止突起１８ａは内部筐体２０側壁に設けられた水平方向に伸びる溝（図示省略）を介して摺動溝２２ｂに係止されており、所定径を有する円柱体から構成され、棚１８の後端部付近に設けられている。
【００２８】
第１リンク部材２１と第２リンク部材２２は、第１リンク部材２１の屈曲点２１ｃと第２リンク部材２２の中央部２２ｃとに回動可能に軸支された連結部材２３により連結されている。
【００２９】
前記第１リンク部材２１を前扉１４に取付けた状態でこの前扉１４を開けると、第１リンク部材２１は本体１２の前方に向かって回転する。この回転によって前扉１４の上部は角度を大きく開くと同時に、前扉１４の下部は第１リンク部材２１を回動させて前方に引き出される。その第１リンク部材２１の回動可能に取り付けられている第１リンク部材２１の第１アーム片２１１の屈曲点２１ｃは、水平の位置から立ち上がることにより、支点２１ａと屈曲点２１ｃ間の距離を半径とする円弧の軌跡を移動することになる。前扉１４の下端は、本体１２の底面に対して９０度の位置から円弧を描いて前面に約１８０度の位置まで繰り出される。
【００３０】
第１リンク部材２１の屈曲点２１ｃと第２リンク部材２２の中央部２２ｃとに回動可能に軸支された連結部材２３は、前扉１４の開閉による移動の際に、網１８の下部に設けられたヒーター１９に接触しないような形状に成形されている。詳しくは、連結部材２３は壁内にある下部ヒーターのソケットなどを避けるため、第１リンク部材２１の屈曲点２１ｃからソケットの上部を迂回して第２リンク部材２２の中央部２２ｃまで蛇行するような形状に成形されている。
【００３１】
ここで、本実施例におけるオーブントースターの扉開閉動作を、図１及び図２を用いて説明する。先ず、図１（ａ）の位置から、前扉１４の取手１４ｂを掴んで前方に倒すと、図１（ｂ）に示すように、第１リンク部材２１の円弧状の第２アーム片２１２は本体１２前面の壁をこえて、前扉１４は支点となる第１リンク部材の一端２１ａを中心に前方に回動する。この動きに連動して、第１リンク部材２１の屈曲点２１ｃに軸支された連結部材２３は、屈曲点２１ｃに連結された一端が前方に引き上げられるため、これに追従して連結部材２３が開口部１３方向に引張られ、第２リンク部材２２の中央部２２ｃに連結された他端部も移動し、第２リンク部材２２を支点となる一端２２ａを中心に回動させて引き起こし、その他端部の摺動溝２２ｂに係合している棚１８の係止突起１８ａを介して棚１８を前方に引き寄せる。第２リンク部材２２が支点２２ａを中心に回動するとき、その摺動溝２２ｂは係止部１８ａと摺動して支点２２ａの上を通過して反転し、最前部に棚１８を引き出すように作動する。摺動溝２２ｂの長さは、この作動範囲によって定められる。
【００３２】
こうして図２（ａ）に示すように、第１リンク部材２１の第１アーム片２１１が本体１２前面の壁に当接する位置まで立ち上がると、連結部材２３により引き寄せられた第２リンク部材２２は、摺動溝２２ｂに嵌合した係止突起１８ａを介して棚１８を最も前方まで引き出す。このような状況において、棚１８の突出量は、前方に倒した前扉１４の上を覆うほど大きく取れるので、加熱されているオーブントースター本体１２や前扉１４に触れないで被調理物を取り出すことができる。
【００３３】
図２（ａ）に示す前扉１４の開放状態から、棚１８を調理室１７に収納し、前扉１４を閉める場合には、前扉１４の取手１４ｂを掴んで後方に起こすと、図２（ｂ）に示すように、オーブントースター前面の壁１５を越えていた第１リンク部材２１の第２アーム片２１２が後退し、前扉１４は第１リンク部材２１の一端２１ａを中心に後方に回動する。この動きに連動して、第１リンク部材２１の屈曲点２１ｃに軸支された連結部材２３は、後方に押し付けられて、連結部材２３を介して第２リンク部材２２を支点となる一端２２ａを中心に反対方向に回動させ、第２リンク部材２２の他端部の摺動溝２２ｂに係合している棚１８の係止突起１８ａを介して棚１８を後方に押しやる。こうして、図１（ａ）のように、第１リンク部材２１の第１アーム片２１１が本体１２底面まで立ち下がると、前扉１４は閉じられ、連結部材２３により押し付けられた第２リンク部材２２は、摺動溝２２ｂに嵌合した係止突起１８ａを介して棚１８を最も後方まで押し戻すことができる。
【００３４】
図２（ｂ）は、以上の動作を前扉１４の閉扉時を実線で、開扉時を点線で同一図面に重ねて示したものである。前扉１４の移動ストロークＳは本実施例においては奥行き方向における中央部を超える程度にまで引き出されている。なお上記には、棚１８の移動は棚１８の係止突起１８ａが直接に第２リンク部材２２の摺動溝２２ｂに嵌合されて摺動するものとして説明したが、棚１８が棚装着架台に取り付けられ、棚装着架台が摺動溝２２ｂに嵌合されて移動するようにしてもよい。
【００３５】
図３ではオーブントースター１１の外形のみを図示し、調理室１７内の棚とヒーターは図示を省略したが、調理室１７内には、図１に示したように、上下各２本のヒーターの中間に金網からなる棚１８があって被調理物が載せられる。ところで、本発明のオーブントースターでは、棚の移動ストロークＳを大きくしたために、図３に示すように本体開口部１３の前縁１３ａと前扉１４の下端の間に隙間２４が発生する。そこで、図４に示したように、この隙間２４を覆うための前扉下部１４ｂに固定された板材によるカバー２５を設けるとよい。すなわち、このカバー２５は、前扉１４の開閉に連動して本体開口部前縁１３ａと前扉１４との隙間を覆うように、その一辺が前扉下縁１４ｂに取り付けられる。また、カバー２５の対向する短辺の両側が第１リンク部材２１の屈曲点２１ｃ付近に達する程度の長さを備えている。
【００３６】
図５は、第１リンク部材２１の円弧状の腕２１２を図示から除いており、カバー２５の動作が分かりやすいように示したものである。加えて、連結部材２３及び第２リンク部材２２等は図示を省略してある。図５に示すように、前扉１４を開放することにより引き出されたカバー２５は、図５（ｃ）に示す開放状態から被調理物の収納時に前扉を閉じることにより、図５（ｂ）に示すように棚１８は被調理物を載せた状態で調理室１７内に移動し、カバー２５は内部筐体２０にその傾斜角度を保ちながら後退する。最後に、図５（ａ）のように復帰すると、カバー２５の表面のカスはこの動作により落下し、内部筐体２０の反射板を伝って調理室の底部に設けられたクズトレイ（図示省略）に溜まる。加えて、カバー２５の後端部は反射板の上を移動しながらその上に付着した被調理物のカスなどを掃き落とすので、カバー２５、反射板とも表面が清潔に保たれる。
【００３７】
このようにカバー２５を設ければ、次のような作用効果が得られる。すなわちカバー２５は前扉１４の開閉動作に伴い回動支点となる第１リンク部材２１の一端２１ａを中心に回動し、このカバー２５の後端部は調理室１７内に形成された内部筐体２０の下部反射板の表面を円滑に摺動する。このとき、カバー２５は隙間２４を覆うことになる。すなわち、被調理物の収納時あるいは取り出し時に、材料の一部がパンくずや、液汁等のカスとして落下しても、カバー２５があるので清掃の困難な前扉１４と本体との間に落ちることはないため、本体１２周辺及び調理室１７を清潔に保つことができる。
【００３８】
また、このカバー２５は、図５（ａ）に示すように、前扉１４の閉鎖状態においては本体１２の前面壁１５の下部に設けられた制御部１６と調理室１７とを隔てるように位置するので、調理室１７内に発生した熱が制御部１６に達しないように遮蔽板の役割を果たし、よって、調理室１７内の熱が制御部１６に達することがないのでオーブントースター１１が故障しにくくなる。
【００３９】
以上説明したように、上述した実施例のような連結機構を用いれば、オーブントースターは前扉の支点を開口部の下縁から回動可能なリンク部材を介してより下部に移し、前扉の回転半径を大きくすることができ、一方棚の移動は回動可能なリンク部材に連結され、両リンク部材が連結部材により連結されることにより、棚の移動ストロークを大きくすることができるようになる。よって、棚が調理室から大きく引き出されるので、被調理物の出し入れが容易で、火傷などのおそれが小さい安全なオーブントースターを提供することができる。また、構成が簡単で従来のものに比較して安価なものが得られる。
【図面の簡単な説明】
【００４０】
【図１】図１は本発明のオーブントースターの１実施例に係る棚の引き出し機構を示し、図１（ａ）は前扉を閉鎖状態とした側断面図、図１（ｂ）前扉を半開放状態とした側断面図である。
【図２】図２は本発明のオーブントースターの１実施例に係る棚の引き出し機構を示し、図２（ａ）は前扉を開放状態とした側断面図、図２（ｂ）は参考説明図である。
【図３】図３はオーブントースターの１実施例に係る斜視図である。
【図４】図４は本発明に係るオーブントースターの他の１実施例に係る斜視図である。
【図５】図５は図４のオーブントースターにおける主要部の動作を説明する側断面図である。
【図６】図６は従来のオーブントースターにおける外観斜視図と扉開閉時の状態を示す側断面図である。
【図７】図７は従来例のオーブントースターの構造を示す透視図である。
【符号の説明】
【００４１】
１１      オーブントースター
１２      本体
１３      開口部
１４      前扉
１５      前面壁
１６      制御部
１７      調理室
１８      棚
１８ａ    係止突起
１９      ヒーター
２０      内部筐体
２１      第１リンク部材
２１ａ    一端（支点）
２１ｃ    屈曲点
２２      第２リンク部材
２２ａ    一端（支点）
２２ｂ    摺動溝
２３      連結部材
２４      隙間
２５      カバー
【図１】
0004566079.tif 000002
【図２】
0004566079.tif 000003
【図３】
0004566079.tif 000004
【図４】
0004566079.tif 000005
【図５】
0004566079.tif 000006
【図６】
0004566079.tif 000007
【図７】
0004566079.tif 000008